(57)【特許請求の範囲】
【請求項１】
入来する映像信号をフレームメモリを介して信号処理部に入力し、前記信号処理部における信号処理を行う映像信号処理装置であり、
前記入来する映像信号の書き込み及び読み出しが行われるための第１フィールド信号用と第２フィールド信号用とのメモリ領域をそれぞれ有する第１及び第２のフレームメモリと、
前記入来信号に基づいて生成されたフィールド指示信号の変移とフィールドカウント値とに基づきフィールド逆転信号を生成するフィールド逆転判別部と、
前記フィールドカウント値に基づき、前記映像信号の前記第１及び第２のフレームメモリの前記それぞれのメモリ領域への書き込みを制御する書込制御部と、
前記生成されたフィールド逆転信号に基づき、前記第１及び第２のフレームメモリの前記それぞれのメモリ領域からの映像信号の読み出しを制御する読出制御部と、
前記第１及び第２のフレームメモリの前記それぞれのメモリ領域から読み出された映像信号に信号処理を施す信号処理部とを備え、
前記フィールド指示信号の変移と前記フィールドカウント値とに基づいて生成されたフレーム境界信号により前記第１及び第２のフレームメモリを切り替えるとともに、前記フィールド逆転判別部において、前記映像信号におけるフィールドの不連続箇所を検出した場合には、前記第１及び第２のフレームメモリの前記それぞれのメモリ領域からの読み出しを前記フィールド逆転信号に基づいて行い、前記不連続箇所以降であり、画面表示に必要な有効走査線数を有する最初の第１フィールドの映像信号とこれに続く第２フィールドの映像信号とが１つのフレームの映像信号として出力されるよう制御することを特徴とする映像信号処理装置。
【請求項２】
前記検出したフィールドの不連続箇所以降が第１フィールドあるいは第２フィールドのみの映像信号となっている場合には、前記フィールドカウント値に基づきフィールド逆転信号を生成し、前記第１及び第２のフレームメモリの前記それぞれのメモリ領域からの映像信号の読み出しを行い、連続する２つのフィールドが１つのフレームとして出力されるよう、制御することを特徴とする請求項１記載の映像信号処理装置。
【発明の詳細な説明】
【０００１】
【発明の属する技術分野】
本発明は、不連続点を有するインタレース信号や同一フィールドが連続する非標準信号が入来する場合でも正常な映像信号処理を行うことができる映像信号処理装置に関する。
【０００２】
【従来の技術】
フレーム単位で映像信号を処理する映像機器として、ディジタルビデオレコーダ（以下、ＤＶＴＲと示す）がある。このＤＶＴＲでは、入来する映像信号を一旦フレームメモリに書き込み、このフレームメモリから読出した信号に対して圧縮符号化の処理を施している。
【０００３】
ここで、入来する映像信号は、インタレース信号となっているが、各フィールド信号の垂直ブランキング期間の信号波形を参照することで、そのフィールド信号が第１フィールドのものであるのか、それとも第２フィールドのものであるかを判別することが可能である。
【０００４】
従って、映像信号をフレームメモリに書き込む際は、第１フィールドの映像信号を第１フィールド信号用のメモリ領域に書き込み、第２フィールドの映像信号を第２フィールド信号用のメモリ領域に書き込む処理を行い、フレームメモリ内でフレーム画像を形成させている。
【０００５】
【発明が解決しようとする課題】
ところが、入来する映像信号が同一フィールドの連続する非標準信号である場合、入来する映像信号がフレームメモリ内の同一領域に書き込まれてしまい、この映像信号を正常に読み出すことができないという問題があった。
【０００６】
また、不連続点を有するインタレース信号の場合も同様に、同一フィールドの映像信号が連続したり、また有効走査線数が不足したりすることがあるため、このような場合に、映像信号を正常に読み出すことができなくなる場合があった。また、不連続点を有するインタレース信号の場合、仮に映像信号を読み出すことができたとしても、フィールドの出力順が逆となることがあり、後段の圧縮処理において画質を大きく劣化させる原因となっていた。
【０００７】
本発明は、このような課題を解決することを目的としており、不連続点を有するインタレース信号や同一フィールドが連続する非標準信号が入来する場合でも正常な映像信号処理を行うことができる映像信号処理装置を提供することを目的とする。
【０００８】
【課題を解決するための手段】
本発明は、上記課題を解決するために、以下の１）〜２）に記載の手段よりなる。
すなわち、
１）入来する映像信号をフレームメモリを介して信号処理部に入力し、前記信号処理部における信号処理を行う映像信号処理装置であり、
前記入来する映像信号の書き込み及び読み出しが行われるための第１フィールド信号用と第２フィールド信号用とのメモリ領域をそれぞれ有する第１及び第２のフレームメモリと、
前記入来信号に基づいて生成されたフィールド指示信号の変移とフィールドカウント値とに基づきフィールド逆転信号を生成するフィールド逆転判別部と、
前記フィールドカウント値に基づき、前記映像信号の前記第１及び第２のフレームメモリの前記それぞれのメモリ領域への書き込みを制御する書込制御部と、
前記生成されたフィールド逆転信号に基づき、前記第１及び第２のフレームメモリの前記それぞれのメモリ領域からの映像信号の読み出しを制御する読出制御部と、
前記第１及び第２のフレームメモリの前記それぞれのメモリ領域から読み出された映像信号に信号処理を施す信号処理部とを備え、
前記フィールド指示信号の変移と前記フィールドカウント値とに基づいて生成されたフレーム境界信号により前記第１及び第２のフレームメモリを切り替えるとともに、前記フィールド逆転判別部において、前記映像信号におけるフィールドの不連続箇所を検出した場合には、前記第１及び第２のフレームメモリの前記それぞれのメモリ領域からの読み出しを前記フィールド逆転信号に基づいて行い、前記不連続箇所以降であり、画面表示に必要な有効走査線数を有する最初の第１フィールドの映像信号とこれに続く第２フィールドの映像信号とが１つのフレームの映像信号として出力されるよう制御することを特徴とする映像信号処理装置。
２）前記検出したフィールドの不連続箇所以降が第１フィールドあるいは第２フィールドのみの映像信号となっている場合には、前記フィールドカウント値に基づきフィールド逆転信号を生成し、前記第１及び第２のフレームメモリの前記それぞれのメモリ領域からの映像信号の読み出しを行い、連続する２つのフィールドが１つのフレームとして出力されるよう、制御することを特徴とする１）記載の映像信号処理装置。
【００１０】
【発明の実施の形態】
図１は、本発明の実施例に係る映像信号処理装置の構成を説明するための図であり、同図において、１はディジタルの信号形態で入来する映像信号に、必要に応じてフィルタリングあるいは画素の間引き等の処理を施してこれを出力する前段信号処理部、２は後述するフレーム境界判別部からのフレーム境界信号に基づき前記前段信号処理部１からの映像信号を切り替え出力する切替部である。
【００１１】
また、３及び４は切替部２により切り替え出力された前記前段信号処理部１からの映像信号が、そのいずれか一方に書きこまれるフレームメモリ、５は後述するフレーム境界判別部から切替部２に出力されるフレーム境界信号を反転させた反転信号に基づきフレームメモリ３あるいはフレームメモリ４から読み出された映像信号の何れか一方を出力する切替部、６は切替部５から切り替え出力された映像信号に圧縮符号化の処理を施して出力する圧縮信号処理部である。
【００１２】
一方、７は前記前段信号処理部１に供給される映像信号から別途生成したフィールド指示信号が供給され、このフィールド指示信号を取り込むフィールド指示取込部、８は前記フィールド指示信号が供給されると共に前記映像信号から別途生成した水平同期信号が供給され、前記映像信号のライン数をカウントし、更に所定ラインのタイミングで、前記フィールド指示取込部７にフィールド指示信号の取り込みタイミングを知らせるパルスを出力するラインカウンタである。
【００１３】
また、９は前記ラインカウンタ８の出力するラインカウント値に基づきフィールド数をカウントするフィールドカウンタ、１０はフィールド指示取込部７で取り込んだフィールド指示信号、フィールドカウンタ９の出力するフィールドカウント値、ラインカウンタ８の出力するラインカウント値、圧縮信号処理部６の出力する圧縮完了信号に基づきフィールド逆転信号を出力するフィールド逆転判別部、１１はフィールド指示取込部７で取り込んだフィールド指示信号、フィールドカウンタ９の出力するフィールドカウント値、ラインカウンタ８の出力するラインカウント値、圧縮信号処理部６の出力する圧縮完了信号に基づきフレーム境界信号を出力するフレーム境界判別部である。
【００１４】
また、１２はラインカウンタ８の出力するラインカウント値、フィールドカウンタ９の出力するフィールドカウント値に基づきフレームメモリ３及び４における映像信号の書き込みタイミングや書き込み領域を制御する書き込み制御信号を出力するフレームメモリ書込制御部、１３はフィールド逆転判別部１０の出力するフィールド逆転信号に基づきフレームメモリ３及び４における映像信号の読み出しタイミングや読み出し領域を制御する読み出し制御信号を出力するフレームメモリ読出制御部、１４はフレーム境界判別部１１の出力するフレーム境界信号を反転させた反転信号を出力する反転回路である。
【００１５】
以下、本発明に係る映像信号処理装置の動作について説明する。前段信号処理部１に映像信号が入来すると、これと同時にフィールド指示取込部７とラインカウンタ８には、フィールド指示信号が入来し、更に、ラインカウンタ８にはこの映像信号の水平同期信号が入来する。
【００１６】
図２乃至図５は、その際の動作を示すタイミングチャートであり、図２は、入来する映像信号における第１フィールドと第２フィールドとの順が、１、２、１、１、２、１、２、１、２の順となっている場合を示している。なお、図２乃至図５（ａ）に示す如くフィールド指示信号は、映像信号が第１フィールドの期間中は１の値を示し、第２フィールドの期間中は０の値を示し、更に、同一フィールドが連続する場合には、フィールドの区切れにおいてそのフィールドの値とは逆の値が短い間出力される信号である。
【００１７】
フィールド指示取込部７及びラインカウンタ８には、例えば、図２（ａ）の如くフィールド指示信号が入来し、ラインカウンタ８には、このフィールド指示信号に加え、この映像信号から図示しない同期分離部で分離した水平同期信号が入来する。ここで、ラインカウンタ８は、このフィールド指示信号が０の値から１の値に変化するタイミングでその内部カウンタ値を３の値に設定し、フィールド指示信号が１の値から０の値に変化するタイミングでそのカウンタ値を２６５の値に設定する。
【００１８】
また、ラインカウンタ８は、水平同期信号が入来する毎にカウンタ値を１ずつインクリメントし、５２５までカウントすると次の水平同期信号のタイミングでカウント値を１に設定するため、第１フィールドと第２フィールドとが交互に入来する映像信号の場合も、同一フィールドが連続する映像信号の場合も、正しいライン番号をカウントしてこの値を出力する。
【００１９】
そして、ラインカウンタ８は、そのカウント値が２２又は２８４となった時点で、フィールド指示取込部７に対して取り込みパルスを出力し、フィールド指示取込部７は、この取り込みパルスのタイミングで入来するフィールド指示信号の取り込みを行う。このように、フィールド指示取込部７は、映像信号の有効走査期間の直前である２２ライン目又は２８４ライン目のタイミングでフィールド指示信号を取り込むため、フィールドの境界でフィールド指示信号の値が不安定となっている場合でも、正確なフィールド判別を行うことができる。
【００２０】
また、ラインカウンタ８から出力されるラインカウント値は、フィールドカウンタ９に供給されており、フィールドカウンタ９は、入来するラインカウント値が２２又は２８４となる毎に１ずつカウント値をインクリメントし、このカウント値は、フレーム境界判別部１１の出力するフレーム境界信号の反転により０の値にリセットされる。
【００２１】
ここで、図６はフレーム境界判別部１１の動作を詳細に説明するための図である。フレーム境界判別部１１には、フィールド指示取込部７で取り込まれた、現在のフィールドと１フィールド前と２フィールド前との３フィールド分のフィールド指示信号が保持され、これらのフィールド指示信号とフィールドカウンタ９からのフィールドカウント値、更には後述する如くラインカウンタ８からのラインカウント値と圧縮信号処理部６からの圧縮完了信号とに基づきその出力が決定される。
【００２２】
同図において、Ｈはホールド、つまりそれまでの値を維持する動作を示しており、Ｔはトグル、つまりそれまでの値を反転させて出力する動作を示している。ここで、フィールド指示取込部７からのフィールド指示信号が０００あるいは１１１の如く、同一のフィールドが連続している場合には、フレーム境界判別部１１は、原則としてフィールドカウント値が１の場合のみ信号を反転させる。
【００２３】
また、３つのフィールド指示信号が同一の値でない場合は、原則として現在のフィールド、１フィールド前、２フィールド前の順で、００１あるいは１０１の場合のみ信号を反転させる。そして、上記２つ以外の全ての場合は、それまでの値と同一の値を出力し続ける。
【００２４】
従って、図２に示す映像信号の場合には、フレーム境界判別部１１は基本的には第１フィールド（フィールド指示信号の値が１）から第２フィールド（フィールド指示信号の値が０）までの２フィールド期間が同一の値となるフレーム境界信号を出力する。
【００２５】
しかし、期間ウ及びエにおいて、第１フィールド（フィールド指示信号の値が１）が２回連続すると、３フィールド期間以上で同一の値となるフレーム境界信号が出力する。例えば、期間オの開始直後の３つのフィールド指示信号は０１１であるためこの期間ではフレーム境界信号が反転せず、期間カの開始直後の３つのフィールド指示信号は１０１であるためこの期間でフレーム境界信号が反転する。
【００２６】
よって、この２つの第１フィールドとこれに続く第２フィールドの期間同一の値となるフレーム境界信号を出力する。このように、フレーム境界判別部１１は、期間ア及びイ、期間カ及びキ、期間ク及びケにおいて夫々同一の値となるフレーム境界信号を出力し、期間ウ乃至オにおいて同一の値となるフレーム境界信号を出力する。
【００２７】
そして、このフレーム境界信号は、切替部２に供給されており、フレーム境界信号が１の値の時には、前段信号処理部１からの映像信号がフレームメモリ３に書き込まれ、フレーム境界信号が０の値の時には、前段信号処理部１からの映像信号がフレームメモリ４に書き込まれる。
【００２８】
また、フレームメモリ書込制御部１２には、ラインカウンタ８からのラインカウント値とフィールドカウンタ９からのフィールドカウント値とが供給されており、ラインカウント値は、映像信号における有効ライン期間をフレームメモリ書込制御部１２に知らせるために用いられ、フィールドカウント値は、フレームメモリ３及び４に映像信号を書き込む際の書き込み領域を制御するために用いられる。
【００２９】
そして、フレームメモリ３及び４は、その内部に夫々第１フィールド信号用のメモリ領域と第２フィールド信号用のメモリ領域とを備えており、フレームメモリ書込制御部１２は、フィールドカウンタ９が出力するフィールドカウント値が０又は２の場合は、入来する映像信号が第１フィールド信号用のメモリ領域に書き込まれるようフレームメモリ３及び４を制御し、フィールドカウント値が１又は３の場合は、入来する映像信号が第２フィールド信号用のメモリ領域に書き込まれるようフレームメモリ３及び４を制御する。
【００３０】
従って、図２に示す例では、期間ア及びイではフレームメモリ３内の第１フィールド信号用のメモリ領域、第２フィールド信号用のメモリ領域の順に映像信号が書き込まれ、期間ウ及びエではフレームメモリ４内の第１フィールド信号用のメモリ領域、第２フィールド信号用のメモリ領域の順に映像信号が書き込まれるものの、期間オではフレームメモリ４内の第１フィールド信号用のメモリ領域に映像信号が書き込まれるため、期間ウで書き込んだ映像信号が期間オで書き込んだ映像信号により上書き消去されることになる。
【００３１】
また、図７はフィールド逆転判別部１０の動作を詳細に説明するための図である。フィールド逆転判別部１０には、フィールド指示取込部７で取り込まれた、現在のフィールドと１フィールド前との２フィールド分のフィールド指示信号が保持され、これらのフィールド指示信号とフィールドカウンタ９からのフィールドカウント値、更には後述する如くラインカウンタ８からのラインカウント値と圧縮信号処理部６からの圧縮完了信号とに基づきその出力が決定される。
【００３２】
同図において、Ｈはホールド、つまりそれまでの値を維持する動作を示しており、０に反転はその出力値を０に保持または０に反転させる動作を示しており、１に反転はその出力値を１に反転させる動作を示している。ここで、フィールド指示取込部７からのフィールド指示信号が１フィールド前、２フィールド前の順で、００、１０あるいは１１の場合は、それまでの値と同一の値を出力し続け、０１の場合は、フィールドカウント値が０の場合にそれまでの値と同一の値を出力し続ける。
【００３３】
一方、フィールド指示取込部７からのフィールド指示信号が１フィールド前、２フィールド前の順に０１で、且つフィールドカウント値が１の場合は原則としてその出力を０の値に反転させ、フィールドカウント値が２の場合は原則としてその出力を１の値に反転させる。
【００３４】
従って、図２に示す映像信号の場合には、フィールド逆転判別部１０は基本的に０の値となるフィールド逆転信号を出力する。しかし、期間オの如くフレームメモリ内に既に存在する映像信号を上書き消去し、期間エで書き込んだ映像信号と期間オで書き込んだ映像信号とを１つのフレームとして読み出す必要がある場合、１の値を出力する。
【００３５】
例えば、期間カの開始直後では、２つのフィールド指示信号が０１で且つフィールドカウント値が２となっているため、それまで０の値であったフィールド逆転信号が１の値に反転し、期間クの開始直後では、２つのフィールド指示信号が０１で且つフィールドカウント値が１となっているため、それまで１の値であったフィールド逆転信号が０の値に反転する。従って、フィールド逆転判別部１０は、期間カ及びキで１の値となるフィールド逆転信号を出力する。
【００３６】
そして、このフィールド逆転信号は、フレームメモリ読出制御部１３に供給されており、フレームメモリ読出制御部１３は、フィールド逆転信号が０の場合は、第１フィールド信号用のメモリ領域から第１フィールドの映像信号を読み出し、第２フィールド信号用のメモリ領域から第２フィールドの映像信号を読み出すようフレームメモリ３及び４を制御し、フィールド逆転信号が１の場合は、第２フィールド信号用のメモリ領域から第１フィールドの映像信号を読み出し、第１フィールド信号用のメモリ領域から第２フィールドの映像信号を読み出すようフレームメモリ３及び４を制御する。
【００３７】
また、フレーム境界判別部１１の出力するフレーム境界信号は、反転回路１４で反転された後に切替部５に供給され、前段信号処理部１がフレームメモリ３と接続状態にある時には、フレームメモリ４が圧縮信号処理部６と接続状態にあり、前段信号処理部１がフレームメモリ４と接続状態にある時には、フレームメモリ３が圧縮信号処理部６と接続状態にあるよう制御される。
【００３８】
従って、図２に示す例では、期間アでフレームメモリ３内の第１フィールド信号用のメモリ領域に書き込まれた映像信号の読み出しと期間イでフレームメモリ３内の第２フィールド信号用のメモリ領域に書き込まれた映像信号の読み出しとが、期間ウから順次開始される。
【００３９】
また、期間ウでフレームメモリ４内の第１フィールド信号用のメモリ領域に書き込まれた映像信号は、期間オで上書き消去され、期間エでフレームメモリ４内の第２フィールド信号用のメモリ領域に書き込まれた映像信号の読み出しと期間オでフレームメモリ４内の第１フィールド信号用のメモリ領域に書き込まれた映像信号の読み出しとが、期間カから順次開始される。
【００４０】
また、期間カでフレームメモリ３内の第１フィールド信号用のメモリ領域に書き込まれた映像信号の読み出しと期間キでフレームメモリ３内の第２フィールド信号用のメモリ領域に書き込まれた映像信号の読み出しとが、期間クから順次開始される。そして、読み出された映像信号は、圧縮信号処理部６で順次圧縮符号化される。
【００４１】
以上のように、図２で示す映像信号の場合には、期間ウ及びエで第１フィールドの映像信号が２回続けてフレームメモリに書き込まれるが、期間ウで書き込んだ映像信号は、期間オで書き込んだ映像信号により上書き消去され、フレームメモリからの映像信号の読み出し時には、期間エで書き込んだ映像信号と期間オで書き込んだ映像信号とが１つのフレームとして読み出される。
【００４２】
従って、期間ウの次は期間カが読み出し開始タイミングとなり、圧縮信号処理部６では、１フィールド分の映像信号が不足することになるが、このような場合、圧縮信号処理部６の後段の図示しない信号処理部では、既に処理済みである前のフレームの映像信号を再度使用することになるため、不連続点の影響により同一フィールドが連続している映像信号であっても正常な映像信号処理を行うことができ、また、映像信号の画質劣化を最小限に抑えることができる。
【００４３】
次に、図３に示す映像信号が入来する際の動作について説明する。図３に示す映像信号は、第１フィールドと第２フィールドとの順が、１、２、１、２、２、１、２、１、２の順となっており、フィールド指示取込部７及びラインカウンタ８には、図３（ａ）の如くフィールド指示信号が入来する。また、ラインカウンタ８には、このフィールド指示信号に加え、この映像信号から図示しない同期分離部で分離した水平同期信号が入来する。
【００４４】
そして、図３に示す映像信号の場合には、フレーム境界判別部１１は基本的には第１フィールド（フィールド指示信号の値が１）から第２フィールド（フィールド指示信号の値が０）までの２フィールド期間が同一の値となるフレーム境界信号を出力する。
【００４５】
しかし、期間エ及びオにおいて、第２フィールド（フィールド指示信号の値が０）が２回連続すると、３フィールド期間以上で同一の値となるフレーム境界信号を出力する。例えば、期間キの開始直後の３つのフィールド指示信号は０１０であるためこの期間ではフレーム境界信号が反転せず、期間クの開始直後の３つのフィールド指示信号は１０１であるためこの期間でフレーム境界信号が反転する。
【００４６】
よって、この２つの第２フィールドの２つ目とこれに続く第１フィールド及び第２フィールドの期間同一の値となるフレーム境界信号を出力する。このように、フレーム境界判別部１１は、期間ア及びイ、期間ウ及びエ、期間ク及びケにおいて夫々同一の値となるフレーム境界信号を出力し、期間オ乃至キにおいて同一の値となるフレーム境界信号を出力する。
【００４７】
また、フィールド逆転判別部１０は基本的に０の値となるフィールド逆転信号を出力する。しかし、期間キの如くフレームメモリ３及び４内に既に存在する映像信号を上書き消去し、期間カで書き込んだ映像信号と期間キで書き込んだ映像信号とを１つのフレームとして読み出す必要がある場合、１の値を出力する。
【００４８】
例えば、期間クの開始直後では、２つのフィールド指示信号が０１で且つフィールドカウント値が２となっているため、それまで０の値であったフィールド逆転信号が１の値に反転し、期間ケの次の期間の開始直後では、２つのフィールド指示信号が０１で且つフィールドカウント値が１となっているため、それまで１の値であったフィールド逆転信号が０の値に反転する。従って、フィールド逆転判別部１０は、期間ク及びケで１の値となるフィールド逆転信号を出力する。
【００４９】
従って、図３に示す例では、期間アでフレームメモリ３内の第１フィールド信号用のメモリ領域に書き込まれた映像信号の読み出しと期間イでフレームメモリ３内の第２フィールド信号用のメモリ領域に書き込まれた映像信号の読み出しとが、期間ウから順次開始される。
【００５０】
また、期間ウでフレームメモリ４内の第１フィールド信号用のメモリ領域に書き込まれた映像信号の読み出しと期間エでフレームメモリ４内の第２フィールド信号用のメモリ領域に書き込まれた映像信号の読み出しとが、期間オから順次開始される。
【００５１】
また、期間オでフレームメモリ３内の第１フィールド信号用のメモリ領域に書き込まれた映像信号は、期間キで上書き消去され、期間カでフレームメモリ３内の第２フィールド信号用のメモリ領域に書き込まれた映像信号の読み出しと期間キでフレームメモリ３内の第１フィールド信号用のメモリ領域に書き込まれた映像信号の読み出しとが、期間クから順次開始される。そして、読み出された映像信号は、圧縮信号処理部６で順次圧縮符号化される。
【００５２】
以上のように、図３で示す映像信号の場合には、期間エ及びオで第２フィールドの映像信号が２回続けてフレームメモリに書き込まれるが、期間オで書き込んだ映像信号は、期間キで書き込んだ映像信号により上書き消去され、フレームメモリからの映像信号の読み出し時には、期間カで書き込んだ映像信号と期間キで書き込んだ映像信号とが１つのフレームとして読み出される。
【００５３】
従って、期間オの次は期間クが読み出し開始タイミングとなり、圧縮信号処理部６では、１フィールド分の映像信号が不足することになるが、このような場合、圧縮信号処理部６の後段の図示しない信号処理部では、既に処理済みである前のフレームの映像信号を再度使用することになるため、不連続点の影響により同一フィールドが連続している映像信号であっても正常な映像信号処理を行うことができ、また、映像信号の画質劣化を最小限に抑えることができる。
【００５４】
次に、図４に示す映像信号が入来する際の動作について説明する。図４に示す映像信号は、第１フィールドと第２フィールドとの順が、１、２、１、２、２、２、２、２、２の順となっており、フィールド指示取込部７及びラインカウンタ８には、図４（ａ）の如くフィールド指示信号が入来する。また、ラインカウンタ８には、このフィールド指示信号に加え、この映像信号から図示しない同期分離部で分離した水平同期信号が入来する。
【００５５】
そして、図４に示す映像信号の場合には、フレーム境界判別部１１は基本的に第１フィールド（フィールド指示信号の値が１）から第２フィールド（フィールド指示信号の値が０）までの２フィールド期間が同一の値となるフレーム境界信号を出力する。
【００５６】
しかし、期間オ以降において、第２フィールド（フィールド指示信号の値が０）が存続した場合も、２フィールド期間毎に同一の値となるフレーム境界信号を出力する。例えば、期間オの開始直後の３つのフィールド指示信号は００１であるためこの期間でフレーム境界信号が反転し、期間カの開始直後の３つのフィールド指示信号は０００で且つフィールドカウント値が０であるためこの期間でフレーム境界信号は反転しない。
【００５７】
また、期間キの開始直後の３つのフィールド指示信号は０００で且つフィールドカウント値が１であるためこの期間でフレーム境界信号が反転し、期間クの開始直後の３つのフィールド指示信号は０００で且つフィールドカウント値が０であるためこの期間でフレーム境界信号は反転しない。
【００５８】
よって、期間オ以降においても、フレーム境界判別部１１は、２フィールド期間毎に同一の値となるフレーム境界信号を出力する。このように、フレーム境界判別部１１は、期間ア及びイ、期間ウ及びエ、期間オ及びカ、期間キ及びクにおいて夫々同一の値となるフレーム境界信号を出力する。また、フィールド逆転判別部１０は０の値が連続するフィールド逆転信号を出力する。
【００５９】
従って、図４に示す例では、期間アでフレームメモリ３内の第１フィールド信号用のメモリ領域に書き込まれた映像信号の読み出しと期間イでフレームメモリ３内の第２フィールド信号用のメモリ領域に書き込まれた映像信号の読み出しとが、期間ウから順次開始される。
【００６０】
また、期間ウでフレームメモリ４内の第１フィールド信号用のメモリ領域に書き込まれた映像信号の読み出しと期間エでフレームメモリ４内の第２フィールド信号用のメモリ領域に書き込まれた映像信号の読み出しとが、期間オから順次開始される。
【００６１】
また、期間オでフレームメモリ３内の第１フィールド信号用のメモリ領域に書き込まれた映像信号の読み出しと期間カでフレームメモリ３内の第２フィールド信号用のメモリ領域に書き込まれた映像信号の読み出しとが、期間キから順次開始される。そして、読み出された映像信号は、圧縮信号処理部６で順次圧縮符号化される。
【００６２】
以上のように、図４で示す映像信号の場合には、期間エを含みこれ以降は、第２フィールドが連続する映像信号となっているが、期間オ及びカで書き込んだ映像信号が１つのフレームを形成しているかの如く期間キから読み出され、期間キ及びクで書き込んだ映像信号が同様に１つのフレームを形成しているかの如く読み出されるため、映像信号の途中から一方のフィールドが連続している映像信号であっても正常な映像信号処理を行うことができ、また、映像信号の画質劣化を最小限に抑えることができる。
【００６３】
次に、図５に示す映像信号が入来する際の動作について説明する。図５に示す映像信号は、第１フィールドと第２フィールドとの順が、１、２、１、２、１、２、１、２、１、２の順となっているが、期間ウと期間エとの間が不連続となっている映像信号である。
【００６４】
そして、フィールド指示取込部７及びラインカウンタ８には、図５（ａ）の如くフィールド指示信号が入来する。また、ラインカウンタ８には、このフィールド指示信号に加え、この映像信号から図示しない同期分離部で分離した水平同期信号が入来する。
【００６５】
フィールド指示取込部７において、フィールド指示信号が取り込まれ、ラインカウンタ８からラインカウント値が出力されると、フィールドカウンタ９は、フィールドカウント値を出力する。ここで、フレーム境界判別部１１は、図６で説明したように、フィールド指示信号が０００あるいは１１１の如く、同一のフィールドが連続している場合には、原則としてフィールドカウント値が１の場合のみ信号を反転させるが、圧縮信号処理部６の出力とラインカウンタ８の出力とが所定の条件となっていない限りそれまでの値と同一の値を出力し続ける。
【００６６】
また、同様に３つのフィールド指示信号が同一の値でない場合は、原則として現在のフィールド、１フィールド前、２フィールド前の順で、００１あるいは１０１の場合のみ信号を反転させるが、圧縮信号処理部６の出力とラインカウンタ８の出力とが所定の条件となっていない限りそれまでの値と同一の値を出力し続ける。
【００６７】
ここで、所定の条件とは、圧縮信号処理部６が圧縮完了信号を出力し、且つ、ラインカウンタ８が有効走査期間のライン番号を出力し終えることを意味し、これら両方あるいは何れか一方の条件が満たされない場合には、それまでの値と同一の値を出力し続ける。なお、以下の説明では、ラインカウンタ８が有効走査期間のライン番号を全て出力することを１つの条件とするものとして説明するが、全ての有効走査線がなくても、例えば、有効走査線の８割あるいは９割程度のライン数が存在すれば、画面表示に充分なライン数であるとみなして、この条件を満たしていると識別させても良い。
【００６８】
また、フィールド逆転判別部１０に関しても同様であり、フィールド指示信号が１フィールド前、２フィールド前の順に０１で、且つフィールドカウント値が１の場合は原則としてその出力を０の値に変化させ、フィールドカウント値が２の場合は原則としてその出力を１の値に変化させるが、圧縮信号処理部６の出力とラインカウンタ８の出力とがこの条件を満たしていない限り、それまでの値と同一の値を出力し続ける。
【００６９】
ここで、図５に示す期間オは、フィールド指示信号が、現在のフィールド、１フィールド前、２フィールド前の順で１０１であるため、信号の値を反転して出力すべき期間であるが、期間エが１フィールド期間に満たないため、期間エでは、第２フィールドにおける有効走査期間のラインカウント値がラインカウンタ８から全て出力されず、また、圧縮信号処理部６からはこの期間において圧縮完了信号が出力されない。従って、期間オでは、フレーム境界信号としてそれまでと同じ値を出力し続け、期間キでフレーム境界信号の値が反転する。
【００７０】
また、図５に示す期間オは、フィールド指示信号が、１フィールド前、２フィールド前の順で０１であり、且つフィールドカウント値が１であるため、その出力を１の値に変化させるべき期間であるが、期間エが１フィールド期間に満たないため、期間エでは、第２フィールドにおける有効走査期間のラインカウント値がラインカウンタ８から全て出力されず、また、圧縮信号処理部６からはこの期間において圧縮完了信号が出力されない。従って、期間オでは、フィールド逆転信号としてそれまでと同じ値を出力し続ける。
【００７１】
このように、図５に示す映像信号の場合には、フレーム境界判別部１１は基本的には第１フィールド（フィールド指示信号の値が１）から第２フィールド（フィールド指示信号の値が０）までの２フィールド期間が同一の値となるフレーム境界信号を出力する。
【００７２】
しかし、有効走査期間の全てのライン信号が存在しない場合や圧縮信号処理部６から圧縮完了信号が出力されていない状態で次フィールドの映像信号の書き込みが開始された場合には、それまでの値と同一の値であるフレーム境界信号を出力する。また、このような場合には、フィールド逆転信号もそれまでの値と同一の値とされる。
【００７３】
従って、図５に示す例では、期間アでフレームメモリ３内の第１フィールド信号用のメモリ領域に書き込まれた映像信号の読み出しと期間イでフレームメモリ３内の第２フィールド信号用のメモリ領域に書き込まれた映像信号の読み出しとが、期間ウから順次開始される。
【００７４】
また、期間ウでフレームメモリ４内の第１フィールド信号用のメモリ領域に書き込まれた映像信号は、期間オで上書き消去され、期間エでフレームメモリ４内の第２フィールド信号用のメモリ領域に書き込まれた映像信号は、期間カで上書き消去される。
【００７５】
そして、期間オでフレームメモリ４内の第１フィールド信号用のメモリ領域に書き込まれた映像信号の読み出しと期間カでフレームメモリ４内の第２フィールド信号用のメモリ領域に書き込まれた映像信号の読み出しとが、期間キから順次開始される。
【００７６】
また、期間キでフレームメモリ３内の第１フィールド信号用のメモリ領域に書き込まれた映像信号の読み出しと期間クでフレームメモリ４内の第２フィールド信号用のメモリ領域に書き込まれた映像信号の読み出しとが、期間ケから順次開始される。そして、読み出された映像信号は、圧縮信号処理部６で順次圧縮符号化される。
【００７７】
以上のように、図５で示す映像信号の場合には、期間ウでフレームメモリ４内の第１フィールド信号用のメモリ領域に映像信号が書き込まれ、期間エでフレームメモリ４内の第２フィールド信号用のメモリ領域に映像信号が書き込まれるが、期間ウで書き込んだ映像信号は、期間オで書き込んだ映像信号により上書き消去され、期間エで書き込んだ映像信号は、期間カで書き込んだ映像信号により上書き消去される。そして、フレームメモリからの読み出し時には、期間オで書き込んだ映像信号と期間カで書き込んだ映像信号とが１つのフレームとして読み出される。
【００７８】
従って、期間ウの次は期間キが読み出し開始タイミングとなり、圧縮信号処理部６では、１フレーム分の映像信号が不足することになるが、このような場合、圧縮信号処理部６の後段の図示しない信号処理部は、既に処理済みである前のフレームの映像信号を再度使用することになるため、不連続点の影響により有効走査期間の全てのライン信号が存在しないフィールドのある映像信号であっても正常な映像信号処理を行うことができ、また、映像信号の画質劣化を最小限に抑えることができる。
【００７９】
このように、本発明に係る映像信号処理装置では、フィールド周期がそれまでと変化する不連続点、あるいはフィールド周期に変化はなくても画面表示に充分な有効走査線数が存在しないフィールド信号による不連続点を有する映像信号が入来した場合に、この不連続点後の有効走査線を全て有する最初の第１フィールドの信号とこれに続く第２フィールドの信号とを１つのフレーム信号として出力している。
【００８０】
従って、第１フィールドあるいは第２フィールドのみ存在し、フレームのもう一方のフィールドが存在しないフィールド信号や有効走査線の数が画面表示に充分でないフィールド信号を出力しないため、良好な映像信号処理を行うことができる。
【００８１】
【発明の効果】
本発明に係る映像信号処理装置によれば、映像信号の不連続点がある場合に、この不連続点以降で、画面表示に充分な有効走査線数を有する最初の第１フィールドの映像信号とこれに続く第２フィールドの映像信号とが１つのフレームの映像信号で出力されるため、不連続点の影響により有効走査線の数が充分でない場合や同一フィールドが２回連続する場合でも、正常な信号処理を行うことができるという効果を奏する。
【００８２】
また、不連続点以降が第１フィールドあるいは第２フィールドのみの映像信号であっても、連続する２つのフィールドを１つのフレームとして出力することで、正常な信号処理を行うことができる。
【００８３】
【図面の簡単な説明】
【図１】本発明に係る映像信号処理装置の構成を説明するための図である。
【図２】本発明に係る映像信号処理装置の動作を説明するための図である。
【図３】本発明に係る映像信号処理装置の動作を説明するための図である。
【図４】本発明に係る映像信号処理装置の動作を説明するための図である。
【図５】本発明に係る映像信号処理装置の動作を説明するための図である。
【図６】フレーム境界判別部の動作を説明するための図である。
【図７】フィールド逆転判別部の動作を説明するための図である。
【符号の説明】
１…前段信号処理部
２、５…切替部
３、４…フレームメモリ
６…圧縮信号処理部
７…フィールド指示取込部
８…ラインカウンタ
９…フィールドカウンタ
１０…フィールド逆転判別部
１１…フレーム境界判別部
１２…フレームメモリ書込制御部
１３…フレームメモリ読出制御部
１４…反転回路
【図１】
0003743275.tif 000002
【図２】
0003743275.tif 000003
【図３】
0003743275.tif 000004
【図４】
0003743275.tif 000005
【図５】
0003743275.tif 000006
【図６】
0003743275.tif 000007
【図７】
0003743275.tif 000008